【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
複数のディスプレイの現実の位置情報を管理する位置情報管理部と、
前記複数のディスプレイの現実の位置に基づいて、画像データを表示するときの前記相対位置を決定する個別画像領域決定部と、
画像に含まれる注目被写体検出部と、
前記相対位置を維持したまま、前記画像データ全体に含まれる注目被写体が前記複数のディスプレイの各表示領域に重ねて含まれる注目被写体の重合度を増大させる重合度向上部と、
前記重合度が向上した前記複数のディスプレイの各表示領域で、前記画像データから前記複数のディスプレイの各々に表示する個別画像データを生成する個別画像データ生成部と、
を具備する画像表示制御装置。
【請求項２】
前記重合度向上部は、前記画像データに対して前記複数のディスプレイの各表示領域を上下左右に移動させながら、前記画像データ全体に含まれる注目被写体の数と前記複数のディスプレイの各表示領域に含まれる注目被写体の数が一致する移動量、又は、前記複数のディスプレイの各表示領域に含まれる注目被写体の数が最大で且つ最小となる移動量を探索し、
前記個別画像データ生成部は、前記重合度向上部が見つけ出した移動量のときの前記複数のディスプレイの各表示領域で、前記画像データから前記複数のディスプレイの各々に表示する個別画像データを生成する、
請求項１に記載の画像表示制御装置。
【請求項３】
前記重合度向上部は、前記画像データを拡大又は縮小するとともに、拡大又は縮小した後の前記画像データに対して前記複数のディスプレイの各表示領域を上下左右に移動させながら、前記画像データ全体に含まれる注目被写体の数と前記複数のディスプレイの各表示領域に含まれる注目被写体の数が一致する移動量、又は、前記複数のディスプレイの各表示領域に含まれる注目被写体の数が最大で、且つ、拡大率又は縮小率と移動量が最小となる組を探索し、
前記個別画像データ生成部は、前記重合度向上部が見つけ出した移動量のときの前記複数のディスプレイの各表示領域で、前記重合度向上部が見つけ出した拡大率又は縮小率で拡大又は縮小した後の前記画像データから前記複数のディスプレイの各々に表示する個別画像データを生成する、
請求項１に記載の画像表示制御装置。
【請求項４】
複数のディスプレイと、
前記複数のディスプレイの現実の位置に基づいて、画像データを表示するときの前記相対位置を決定する個別画像領域決定部と、
前記相対位置を維持したまま、前記画像データ全体に含まれる注目被写体が前記複数のディスプレイの各表示領域に重ねて含まれる注目被写体の重合度を増大させる重合度向上部と、
前記重合度が向上した前記複数のディスプレイの各表示領域で前記複数のディスプレイの各々に表示する個別画像データを生成して、前記複数のディスプレイの各々に出力する出力制御部と、
を具備する画像表示システム。
【請求項５】
画像データを入力する画像入力ステップと、
複数のディスプレイの現実の位置情報を管理する位置情報取得ステップと、
前記複数のディスプレイの現実の位置に基づいて、前記画像データを表示するときの前記相対位置を決定する個別画像領域決定ステップと、
前記相対位置を維持したまま、前記画像データ全体に含まれる注目被写体が前記複数のディスプレイの各表示領域に重ねて含まれる注目被写体の重合度を増大させる重合度向上ステップと、
前記重合度が向上した前記複数のディスプレイの各表示領域で、前記画像データから前記複数のディスプレイの各々に表示する個別画像データを生成する個別画像データ生成ステップと、
を有する画像表示制御方法。
【請求項６】
複数のディスプレイの現実の位置情報を管理する位置情報管理部、
前記複数のディスプレイの現実の位置に基づいて、画像データを表示するときの前記相対位置を決定する個別画像領域決定部、
画像に含まれる注目被写体検出部、
前記相対位置を維持したまま、前記画像データ全体に含まれる注目被写体が前記複数のディスプレイの各表示領域に重ねて含まれる注目被写体の重合度を増大させる重合度向上部、
前記重合度が向上した前記複数のディスプレイの各表示領域で、前記画像データから前記複数のディスプレイの各々に表示する個別画像データを生成する個別画像データ生成部、
としてコンピューターを機能させるようコンピューター可読形式で記述されたコンピューター・プログラム。
【手続補正２】
【補正対象書類名】明細書
【補正対象項目名】００２１
【補正方法】変更
【補正の内容】
【００２１】
【図１Ａ】図１Ａは、複数のディスプレイを用いた画像表示システム１００の構成例を模式的に示した図である。
【図１Ｂ】図１Ｂは、マスター・スレーブ形式の画像表示システム１００の構成例を模式的に示した図である。
【図２】図２は、画像表示システム１００が備える複数のディスプレイ１０２Ａ…を用いて画像データを表示する方法を説明するための図である。
【図３】図３は、画像表示システム１００が備える複数のディスプレイ１０２Ａ…を用いて画像データを表示する方法を説明するための図である。
【図４】図４は、重合度の向上処理を行なう表示制御部１０３の機能的構成を模式的に示した図である。
【図５Ａ】図５Ａは、表示制御部１０３で個別画像データと注目被写体との重合度を向上させるために行なう処理手順を示したフローチャートである。
【図５Ｂ】図５Ｂは、表示制御部１０３で個別画像データと注目被写体との重合度を向上させるために行なう処理手順を示したフローチャートである。
【図６】図６は、表示領域Ｄ1、Ｄ2、Ｄ3の大きさと互いの相対位置を維持したまま画像データを移動させる様子を示した図である。
【図７】図７は、表示領域Ｄ1、Ｄ2、Ｄ3の有意な移動可能範囲を説明するための図である。
【図８】図８は、元の画像データＤ0を拡大して再生成した画像データＤ´0上で各表示領域Ｄ´1、Ｄ´2、Ｄ´3を同調して移動し、最適な移動量（ｕ1，ｖ1）を探索する様子を示した図である。
【図９】図９は、元の画像データＤ0を縮小して再生成した画像データＤ´0上で各表示領域Ｄ´1、Ｄ´2、Ｄ´3を同調して移動し、最適な移動量（ｕ1，ｖ1）を探索する様子を示した図である。
【図１０】図１０は、ディスプレイ１０２Ａをマスターとし、他のディスプレイ１０２Ｂ、１０２Ｃをスレーブとして、各ディスプレイの画像表示を制御するための通信シーケンス例を示した図である。
【図１１】図１１は、横長の画像データを複数のディスプレイで表示する様子を示した図である。
【図１２】図１２は、各表示領域の相対位置を維持したままで、各ディスプレイの表示画像が変位する様子を示した図である。
【手続補正３】
【補正対象書類名】明細書
【補正対象項目名】００２９
【補正方法】変更
【補正の内容】
【００２９】
本来の縦横比を超えた横長又は縦長の画像データを表示する際、各ディスプレイ１０２Ａ…の現実の配置に基づいて画像データに対する各ディスプレイの表示領域の相対位置を決定して、元の画像データから各表示領域の個別画像データを自然に切り出して、一斉に表示出力する。図１１には、横長の画像データを複数のディスプレイで表示する様子を示している。また、元の画像データに対する各ディスプレイの表示領域を動かしたときも、図１２に示すように、各表示領域の相対位置を維持したままで、各ディスプレイの表示画像が変位する。したがって、画像を観察するユーザーは、横長の画像データからなる風景を、各ディスプレイの画面に相当する窓を通して眺めているイメージを想起することができる。